(57)【要約】ネコの首輪の上に、加速度計（１５）、マイクロプロセッサ（１６）、電池（１４）、スピーカー（１２）を組み込んだ装置（１０）を取り付ける。加速度計（１５）で、ネコの背骨に対する頭部の位置を絶えず監視する。ネコが前方へ移動し、ネコの頭部が上下左右に動かなくなった場合に、ネコが忍び寄り状態と判断し、マイクロプロセッサにより捕食対象に警告するように可聴警報を作動させる。【選択図】図１
2013500737.tif 000002
【特許請求の範囲】
【請求項１】
動物に装着して捕食を抑止するための装置（１０）であって、
動物の前方移動と頭部の上下左右の動きの減少との組み合わせを検出する手段（１５）と、その減少が所定の判定基準に達した場合に警報を作動させる手段（１６）とを
備えることを特徴とする捕食抑止装置。
【請求項２】
ネコの首輪に取り付けられる構成である
請求項１に記載の捕食抑止装置。
【請求項３】
基板（１１）とスピーカーユニット（１２）とを分離した配置で備え、その基板（１１）とスピーカーユニット（１２）との間に首輪を装着可能であり、基板（１１）に検出手段（１５）と警報作動手段（１６）と電源（１４）とを設けた
請求項２に記載の捕食抑止装置。
【請求項４】
検出手段（１５）が、直交３軸方向の動きを検出するように適合された加速度計（１５）である
請求項１ないし３のいずれかに記載の捕食抑止装置。
【請求項５】
加速度計（１５）が、垂直Ｚ軸を確立するために重力を検出するように適合された
請求項４に記載の捕食抑止装置。
【請求項６】
検出手段（１５）から信号を受信するマイクロプロセッサ（１６）が、動物の前方移動と上下左右の動きの減少とを同時に検出した場合に、警報（１２）を作動させる
請求項１ないし５のいずれか１項に記載の捕食抑止装置。
【請求項７】
マイクロプロセッサ（１６）が、所定の範囲の前方移動を検出するまで警報（１２）を作動させないように適合された
請求項６に記載の捕食抑止装置。
【請求項８】
警報（１２）が、トリの警戒声を模倣する可聴警報である
請求項１ないし７のいずれか１項に記載の捕食抑止装置。
【請求項９】
動物がキャットフラップまたは警報作動スイッチを作動させる手段を備える専用入口を通り抜けた際に、装置のオンオフを切り換えるスイッチを組み込んだ
請求項１ないし８のいずれか１項に記載の捕食抑止装置。
【請求項１０】
光を検知しない状態では装置の電源を切る光電池（１７）を備える
請求項１ないし９のいずれか１項に記載の捕食抑止装置。
【発明の詳細な説明】
【技術分野】
【０００１】
本発明は、捕食を抑止するための装置、詳しくは、イエネコによるトリの捕食を抑止するための装置に関する。
【背景技術】
【０００２】
イエネコによるトリの捕食は、多くのネコの飼い主にとって深刻な問題であり、悩みの原因である。従来は、ネコはネズミや他の害獣を増やさないために用いられ、捕食対象に警告する装置は、歓迎されてこなかった。しかし、今日では、害獣は他の手段により制御されていて、イエネコに獲物を捕獲させる必要はない。イエネコは、栄養が十分で、健康であっても、狩猟本能は減少しないため、多くの種の鳴禽類が脅威にさらされていて、危害を加える恐れがある。英国だけでも、毎年７５００万羽の鳴禽類がイエネコの犠牲になっていると推定されている。
【発明の概要】
【課題を解決するための手段】
【０００３】
本発明は、イエネコが獲物を仕留めるための準備として独特な身体的形状をとるという観察から展開している。
ネコは身体をかがめ、背骨を硬直させて、獲物に焦点を合わせる。頭部と背骨との関係が固定され、ネコが通常の歩行時に見せる頭部の通常の「上下動」を示さない。その後、ネコは獲物にさらに接近した有利な位置を獲得しようとして、獲物の方へゆっくりと移動する。ネコが標的に近づく際には、視線は獲物に固定され、頭部の上下左右の動きはほぼ全てなくなる。
【０００４】
これらの挙動の差を、図３に示す。
ネコが正常歩行で左から右に前方へ移動する際、線Ｉは、ネコの頭部の上下の動きの垂直方向の正面図を示す。線ＩＩは、ネコの頭部の左右の動きを上方向から見た平面図を示す。ネコは、区間（ａ）では左側、区間（ｂ）では前方、区間（ｃ）では右側、区間（ｄ）では再び前方、区間（ｅ）では区間（ｃ）よりもさらに右側、区間（ｆ）では再び前方に目を向ける。線ＩＩＩ及びＩＶは、「忍び寄り」状態のネコの頭部と背骨との関係を示す比較図である。上下にも左右にも頭部の動きがほとんど存在しないのは明らかである。
【０００５】
本発明の装置は、直交３軸Ｘ、Ｙ及びＺの方向の動き、または、動きがないことを検出することが可能な加速度計を利用する。
垂直軸Ｚを確立するために重力を使用することから、ネコの首輪にある加速度計の方向は重要ではない。装置は、前方向Ｘの移動と、水平軸Ｙ及び垂直軸Ｚの動きの減少とを感知するように適合される。加速度計に接続されたマイクロプロセッサは、警報を鳴らすことによって、ネコが前方へ移動するのと同時に、頭部が動かなくなったか、あるいは、頭部を上下左右に通常の範囲で動かしていることを示す信号の組み合せに反応する。誤報の可能性を減少させるために、マイクロプロセッサは、ネコが前方（Ｘ軸）に所定の距離、例えば５０〜９０ｃｍ移動するまでは警報を作動させない。
【０００６】
いくつかの珍しい例では、警報が不適切に鳴るのは避けられない。しかし、警報があまり大きくなく、または、不快でなければ、ネコや近隣の人たちを悩ませることはない。特に好ましい警報は、クロウタドリなどのトリの遭難声である。トリは、そのような音に特に敏感である。
【０００７】
本発明は、装置を装着する動物による捕食を抑止するための装置を提供し、この装置は、動物の前方移動と動物の頭部の上下左右の動きの減少との組み合わせを検出する手段と、所定の判定基準が存在する場合に警報を作動させる手段とを含む。
【０００８】
本発明の好適な実施形態では、装置はネコの首輪に取り付けられるように適合される。
【０００９】
装置は、基板とスピーカーユニットとを分離した関係で含んでもよく、これにより、首輪は基板とスピーカーとの間に装着可能であり、基板は検出する手段、警報を作動させる手段及び電源を組み込む。
【００１０】
動きを検出する手段は、直交３軸方向の動きを検出するように適合される加速度計であるのが好ましい。
【００１１】
加速度計は、垂直Ｚ軸を確立するために重力を検出するように適合されるのが好ましい。
【００１２】
警報を作動させる手段は、マイクロプロセッサであるのが好ましく、このマイクロプロセッサは、加速度計から信号を受信して、加速度計が前方移動と上下左右の動きの減少とを同時に検出した場合に、警報を作動させる。
【００１３】
マイクロプロセッサは、所定の範囲の前方移動が検出されるまで警報を作動させないように適合されるのが好ましい。
【００１４】
警報は、トリ、好ましくはクロウタドリの警戒声を模倣する可聴警報であるのが好ましい。
【００１５】
装置は、動物がキャットフラップまたはスイッチを作動させる手段を適切に備える同じような専用入口を通り抜けた際に、装置のオンオフを切り換えるスイッチを組み込んでもよい。
【００１６】
装置は、光がない状態では装置の電源を切る光電池を組み込んでもよい。
【図面の簡単な説明】
【００１７】
【図１】イエネコの首輪に取り付けられる装置を示す説明図
【図２】図１の装置に組み込まれる構成要素の相互作用を実施する回路の説明図
【図３】正常歩行運動時（線Ｉ、ＩＩ）と、獲物に忍び寄る時（線ＩＩＩ、ＩＶ）におけるネコの頭部と背骨との関係を示す説明図
【発明を実施するための形態】
【００１８】
本発明の好適な実施形態を、非限定的な実施例として、添付図面を参照して以下に記載する。
【００１９】
装置１０は、４本の支柱１３によって分離した基板１１とスピーカーユニット１２を含む。支柱は、基板１１とスピーカーユニット１２との間に、スロットまたはトンネルを備え、これを通して、装置が落下しないように、ネコの首輪（図示せず）に装置１０を装着することができる。基板１１内には、電池１４、加速度計１５及びマイクロプロセッサ１６がある。電池１４は、マイクロプロセッサ１６及び加速度計１５に電力を供給する。
【００２０】
図２に示すように、電池１４のスイッチが入ると、加速度計１５は絶えず前方（Ｘ軸）、左右（Ｙ軸）、上下（Ｚ軸）の動きを監視する。Ｚ軸は、重力の検出により求められることから、首輪の周りの装置１０の位置に依存しない。マイクロプロセッサは、加速度計がＸ軸に沿って所定の距離を移動し、それと同時にＹ軸及びＺ軸に沿った動きが減少したことを示す信号を受信すると、可聴警報を発するようにスピーカー１２に電圧を加える。
【００２１】
必要な信号の１つは、Ｘ軸に沿った動きの信号であり、これによって、ネコが単に横たわっている時には警報は作動しない。
【００２２】
警報は、可視のものか、あるいは、可視かつ可聴のものであってもよい。最も好ましい警報音は、トリ、特にクロウタドリの遭難声または警戒声である。これは、ネコまたは近隣の人たちを過度に当惑させずに、特に音が大きくなくてもネコの存在をトリに警告する。
【００２３】
ネコが屋内にいる間は、警報が誤って作動するのを防ぐために、ネコがキャットフラップを通り抜ける際にオンオフが切り換わるスイッチ（図示せず）によって制御してもよい。これは、磁気誘導、無線装置の使用または赤外線ビームの遮断によって実現可能である。警報は、ネコが家に入るとスイッチが切られ、家から出るとスイッチが入る。
【００２４】
装置１０は、一定量の光を検知しない状態では電池１４のスイッチを切る光電池１７を組み込んでもよく、これによると装置は夜間に機能しない。
【符号の説明】
【００２５】
１０    装置
１１    基板
１２    スピーカー
１３    支柱
１４    電池
１５    加速度計
１６    マイクロプロセッサ
１７    光電池
Ｉ    頭部の垂直方向の高さ
ＩＩ    頭部の左右の動き
ＩＩＩ    頭部の垂直方向の高さ（忍び寄り状態）
ＩＶ    頭部の左右の動き（忍び寄り状態）
（ａ）    左向き状態
（ｂ）    前向き状態
（ｃ）    右向き状態
（ｄ）    前向き状態
（ｅ）    （ｃ）よりも右向き状態
（ｆ）    前向き状態
【図１】
2013500737.tif 000003
【図２】
2013500737.tif 000004
【図３】
2013500737.tif 000005
【国際調査報告】
2013500737.tif 000006
2013500737.tif 000007